(57)【要約】【課題】車両とバーとを接触させず、接触による事故を未然に防ぐことにある。【解決手段】ＥＴＣシステム利用のゲートバーの制御システムにおいて、ゲート前方の路線に設置された車両検知センサが車両を検知し、ゲート開放機構は車両検知を受けている状態でゲートバーを開としていないときにゲートを車両進行方向に開放する。このとき、ゲート開放機構は、ゲートバーをゲートの開閉駆動のための駆動軸方向に回転可能に開放回転軸に支持するとともにゲートバーの前記開放回転軸回りの回転を阻止する回転阻止機構を備え、回転阻止機構を火薬の爆破により解除してゲートを前記開放回転軸回りに回転させて進行方向に開放する。【選択図】  図1
2010126933.tif 000002
【特許請求の範囲】
【請求項１】
車両の通過／停止を制御するゲートバーの制御方法において、
車両検知センサが車両を検知し、前記状態でゲートバーが開でないときにゲートバーを車両進行方向に開放することを特徴とするゲートバーのリリース制御方法。
【請求項２】
ゲートバーの開閉駆動のための駆動軸に対し垂直な方向の回転阻止を火薬の爆破により解除してゲートバーを進行方向に開放することを特徴とする請求項１に記載のゲートバーのリリース制御方法。
【請求項３】
車両の通過／停止を制御するゲートバーの制御システムにおいて、
ゲート装置前方の路線に設置され車両を検知する車両検知センサと、
前記車両検知センサの車両検知を受けている状態でゲートバーを開としていないときにゲートバーを車両進行方向に開放するゲートバー開放機構とを備えたことを特徴とするゲートバーのリリース制御システム。
【請求項４】
ゲートバー開放機構に、ゲートバーをゲートバーの開閉駆動のための駆動軸に対し垂直な方向に回転可能に設けた開放回転軸に支持するとともにゲートバーの前記開放回転軸回りの回転を阻止する回転阻止機構を備え、回転阻止機構を火薬の爆破により解除してゲートバーを前記開放回転軸回りに回転させて進行方向に開放することを特徴とする請求項３に記載のゲートバーのリリース制御システム。
【発明の詳細な説明】
【技術分野】
【０００１】
本発明は、例えば、有料道路への車両の通過／停止を制御するゲートバーの通行突破車両による接触破壊等の事故を防ぐためのリリース制御方法及びそのシステムに関するものである。
【背景技術】
【０００２】
従来、例えば、高速道路等の有料道路の料金所においてＥＴＣシステムが採用され、ＥＴＣ搭載の車両は無線通信することにより通行料金を支払うことができ、その場合ゲート装置のゲートバーが開いたままで、車両を停止することなく通過することができる。
何らかの理由、例えば、車載器と料金所との間で無線通信ができないときに、ゲートバーが開かないこととなる。車両の運転手は、自己の車両がＥＴＣを搭載していることから無条件でゲート装置を通過できるものと信じ、そのまま通過しようとするとゲートバーに接触する。
このときのゲートバーとの衝撃を軽減するために、現在行われている一般的なバーリリースの方式は、車両がゲートバーに接触することで生じる水平方向の力が規定値以上となったときに、回転軸から外れる方式であった。このため、リリースさせる場合は、必ずゲートバーと車両とが接触することとなり、車両の進行速度が高速である場合はゲートバーやゲートバーを駆動制御するゲート装置が破損する場合があった。
【発明の開示】
【発明が解決しようとする課題】
【０００３】
解決しようとする課題は、車両とゲートバーとの接触をさせず、接触による事故を未然に防ぐことにある。
【課題を解決するための手段】
【０００４】
請求項１に係るゲートバーのリリース制御方法は、車両の通過／停止を制御するゲートバーの制御方法において、車両検知センサが車両を検知し、前記状態でゲートバーが開でないときにゲートバーを車両進行方向に開放することを特徴とするものである。
【０００５】
請求項２に係るゲートバーのリリース制御方法は、請求項１に記載のものにおいて、ゲートバーの開閉駆動のための駆動軸に対し垂直な方向の回転阻止を火薬の爆破により解除してゲートバーを進行方向に開放することを特徴とするものである。
【０００６】
請求項３に係るゲートバーのリリース制御システムは、車両の通過／停止を制御するゲートバーの制御システムにおいて、ゲート装置前方の路線に設置され車両を検知する車両検知センサと、前記車両検知センサの車両検知を受けている状態でゲートバーを開としていないときにゲートバーを車両進行方向に開放するゲートバー開放機構とを備えたことを特徴とするものである。
【０００７】
請求項４に係るゲートバーのリリース制御システムは、請求項３に記載のものにおいて、ゲートバー開放機構に、ゲートバーをゲートバーの開閉駆動のための駆動軸に対し垂直な方向に回転可能に設けた開放回転軸に支持するとともにゲートバーの前記開放回転軸回りの回転を阻止する回転阻止機構を備え、回転阻止機構を火薬の爆破により解除してゲートバーを前記開放回転軸回りに回転させて進行方向に開放することを特徴とするものである。
【発明の効果】
【０００８】
請求項１に係るゲートバーのリリース制御方法によると、ゲートバーが閉じているときに進入してくる車両を検知した場合に、車両がゲートバーに接触する前にゲートバーを車両進行方向に開放してゲートバーをゲート装置から外すから、ゲートバーとの接触により車両が傷つくこと等の接触による事故を未然に防止することができる。そして、ゲートバーやゲート装置自体を再度使用することも可能となる。
【０００９】
請求項２に係るゲートバーのリリース制御方法によると、ゲートバーの開閉駆動のための駆動軸に対する垂直方向の回転阻止を火薬の爆破により解除してゲートバーを進行方向に開放するから高速にリリースさせることができる。
【００１０】
請求項３に係るゲートバーのリリース制御システムによると、ゲートバーが閉じているときに車両検知センサが進入してくる車両を検知した場合に、車両がゲートバーに接触する前にゲート開放機構がゲートバーを車両進行方向に開放してゲートバーをゲート装置から外すから、接触による事故を未然に防止することができる。そして、ゲートバーとの接触により車両が傷つくことを防止することができる。
【００１１】
請求項４に係るゲートバーのリリース制御システムによると、ゲートバーをゲートバーの開閉駆動のための駆動軸方向に回転可能に開放回転軸に支持するとともにゲートバーの前記開放回転軸回りの回転を阻止する状態で回転阻止機構を火薬の爆破により解除してゲートを開放回転軸回りに回転させて進行方向に開放するから高速にリリースさせることができる。
【実施例１】
【００１２】
図１は、本発明に係るシステムの動作説明図であり、図１（ａ）は車両進入、図１（ｂ）は車両検知・バーリリース、図１（ｃ）は車両通過のそれぞれを説明する図である。図２はフロー図である。図１において、１０１は路側装置、１０２は前記路側装置１０１を構成し後述する車両が備えるアンテナ間で電波の無線通信のための送受信をするアンテナ、１０３は前記路側装置１０１を構成する車線制御装置、１０４はゲート制御装置、１０５は車両、１０６は車両通行路、１０７は車両通行路１０６の両側のそれぞれに設置した光センサ、１０８は車両通行路１０６下に設けたループコイルセンサ、１０９はゲート装置である。
車線制御装置１０３はアンテナ１０２への信号及びアンテナ１０２からの信号をゲート制御装置１０４への信号に変換する。光センサ１０７及びループコイルセンサ１０８は車両の進行方向について、ゲート装置１０９より手前に配置し、車両をほぼ同時に検出することができるように配置する。
ゲート装置１０９を図３に示す。図３において、１０９１は駆動部、１０９２は駆動軸、１０９３はケース、１０９４はゲートバー、１０９５はケース１０９３の上面に垂直に設けられ、ゲートバー１０９４をケース１０９３に駆動軸１０９２に対し垂直な方向に回転可能に支持する開放回転軸、１０９６はケース１０９３とゲートバー１０９４との間に介在する回転阻止機構である。
ゲートバー１０９４は、駆動部１０９１の開閉駆動制御により回転される駆動軸１０９２の回転によりケース１０９３を介してゲートの開閉動作をする。このとき、ゲートバー１０９４はケース１０９３に設けた開放回転軸１０９５により回転可能に支持され、さらに、この回転を阻止するためケース１０９３とゲートバー１０９４との間に回転阻止機構１０９６を設ける。回転阻止機構１０９６は内部に火薬を備え、点火制御により爆発しゲートバー１０９４を開放回転軸を中心に回転させることができる。
【００１３】
車両１０５が車両通行路１０６を通るとアンテナ１０２との通信により、車線制御装置１０３は通行可否を判定する（Ｐ２０１）。当該車両１０５が通行可と判定すれば、ゲートバー開とする（Ｐ２０２）。車両１０５はさらに進む。一方、車線制御装置１０３が通行不可と判定するとゲートバー開しない。進行した車両１０５は光センサ１０７により感知され（Ｐ２０３）、ＯＮを判断される。さらに、車両１０５はループコイルセンサ１０８により感知され（Ｐ２０４）、ＯＮを判断される。このとき、Ｐ２０２でゲートバーを開としたときは、Ｐ２０５でゲートバーは開のままで車両通過し（Ｐ２０６）、その後ゲートバーを閉とする（Ｐ２０７）。一方、Ｐ２０２でゲートバーを閉であったときは、Ｐ２０５においてゲートバーは閉であり、Ｐ２０６においては光センサＯＮ（Ｐ２０３）でループコイルセンサＯＮ（Ｐ２０４）のときリリース点火すなわち回転阻止機構１０９６の火薬を爆発させる（Ｐ２０８）。この火薬の爆発を使用して瞬時に膨張圧を得て、ゲートバー１０９４が開放回転軸１０９５を中心に回転し、車両の進行方向に開放する（Ｐ２０９）。ゲート制御装置１０４は警報を管理部門に出力する（Ｐ２１０）。車両１０５はゲートバー１０９４に接触することなく通過する（Ｐ２１１）ことができる。
【図面の簡単な説明】
【００１４】
【図１】ゲートバーのリリース制御システムを説明する構成図である。
【図２】ゲートバーのリリース制御方法を説明するフロー図である。
【図３】ゲート装置を説明する構成図である。
【符号の説明】
【００１５】
１０１…路側装置、１０２…アンテナ、１０３…車線制御装置、１０４…ゲート制御装置、１０５…車両、１０６…車両通行路、１０７…光センサ、１０８…ループコイルセンサ、１０９…ゲート装置。
【図１】
2010126933.tif 000003
【図２】
2010126933.tif 000004
【図３】
2010126933.tif 000005